(57)【要約】      （修正有）【課題】吊り下げ展示される商品を、棚段上に横方向に広げて展示可能とする商品展示具を提供する。【解決手段】トレイ１０ａ〜１０ｄの背面部５は、折り返し片６と開口５２が設けられ、該折り返し片６には、折り返し片６が折り返されたときに開口５２に重なるように開口６３が設けられている。正面部３には、開口５２に重なるように開口３２が設けられた芯片３１が設けられる。前側に配置されたトレイ１０ｄの折り返し片６を折り返し、後側に配置されたトレイ１０ｃの芯片３１を前側に配置されたトレイ１０ｄの背面部５と折り返し片６との間に挟み込み、かつ、前側に配置されたトレイ１０ｄの開口５２と開口６３とを後側に配置されたトレイ１０ｃの開口３２に連通させて、フック８の係止部８２によりこれらの連通した開口の周囲を前後から挟む。【選択図】図３
0003194103.tif 000002
【実用新案登録請求の範囲】
【請求項１】
板状物の開口周囲を前後から挟んで固定する係止部（８２）を有するフック（８）と、
折り返し片（６）と開口（５２）が設けられ、該折り返し片（６）には、折り返し片（６）が折り返されたときに該開口（５２）に重なるように開口（６３）が設けられている背面部（５）と、前記開口（５２）に重なるように開口（３２）が設けられた芯片（３１）を有する正面部（３）とを含む板状の材料により形成されたトレイ（１０）とを有し、
前側に配置されたトレイ（１０ｄ）の折り返し片（６）を折り返し、後側に配置されたトレイ（１０ｃ）の芯片（３１）を前側に配置されたトレイ（１０ｄ）の背面部（５）と折り返し片（６）との間に挟み込み、かつ、前側に配置されたトレイ（１０ｄ）の開口（５２）と開口（６３）とを後側に配置されたトレイ（１０ｃ）の開口（３２）に連通させて、フック（８）の係止部（８２）によりこれらの連通した開口の周囲を前後から挟むことを特徴とする商品展示具。
【請求項２】
請求項１の商品展示具において、前記折り返し片（６）は差込片（６１）を有し、前側に配置されたトレイ（１０ｄ）の前記折り返し片（６）を折り返したときに差込片（６１）を差し込むことが可能なように、後側に配置されたトレイ（１０ｃ）の背面部（５）には切り込み（５５）が設けられていることを特徴とする商品展示具。
【考案の詳細な説明】
【技術分野】
【０００１】
本考案は、商品を、棚段上に吊り下げ展示することができる組み立て可能な商品展示具に関する。
【背景技術】
【０００２】
商店の店頭においては、同じ種類の商品であっても、商品は陳列の並べ方や位置で激的に売上は変わるため、商品を目立つように展開・陳列し、さらにポップ広告などで商品の付加価値や提案をアピールすることが行われている。
【０００３】
例えば、特許文献１においては、商品を収容する箱状のトレイを上下に多段に組み合わせて、カウンタディスプレイやハンガーディスプレイのいずれにも対応可能な商品展示具が開示されている。また、特許文献２においては、カウンタディスプレイでありながら吊り下げ展示用の商品を、基板に設けられた複数のフックに対して平面状に陳列する商品展示具が開示されている。
【先行技術文献】
【特許文献】
【０００４】
【特許文献１】特開２０１２−２１７７３５号公報
【特許文献２】特開２００２-６５４２４号公報
【考案の開示】
【考案が解決しようとする課題】
【０００５】
特許文献１の商品展示具を用いて商品を棚上に展示する場合、トレイの上段の商品が上段の棚の下に隠れて目立たなくなる恐れがある。また、特許文献２の商品展示具の場合も上側に陳列される商品が目立たなくなる。また、いずれの商品展示具とも、縦の長さの長い商品を複数縦方向に展示することは、棚段の高さの制限により難しい。
【０００６】
本考案の目的は、吊り下げ展示される商品を、棚段上に横方向に広げて展示可能とし、またポップ広告などで商品の付加価値や提案をアピール可能な商品展示具を提供することにある。
【課題を解決するための手段】
【０００７】
本考案の商品展示具は、板状物の開口周囲を前後から挟んで固定する係止部（８２）を有するフック（８）と、折り返し片（６）と開口（５２）が設けられ、該折り返し片（６）には、折り返し片（６）が折り返されたときに該開口（５２）に重なるように開口（６３）が設けられている背面部（５）と、前記開口（５２）に重なるように開口（３２）が設けられた芯片（３１）を有する正面部（３）とを含む板状の材料により形成されたトレイ（１０）とを有し、前側に配置されたトレイ（１０ｄ）の折り返し片（６）を折り返し、後側に配置されたトレイ（１０ｃ）の芯片（３１）を前側に配置されたトレイ（１０ｄ）の背面部（５）と折り返し片（６）との間に挟み込み、かつ、前側に配置されたトレイ（１０ｄ）の開口（５２）と開口（６３）とを後側に配置されたトレイ（１０ｃ）の開口（３２）に連通させて、フック（８）の係止部（８２）によりこれらの連通した開口の周囲を前後から挟むことを特徴とする。
【考案の効果】
【０００８】
フックは、前後のトレイの連結に用いられるだけで無く、フックを支える紙片として背面部、折り返し片、芯片の紙片が用いられるので、フックに対して商品を多数吊り下げても、フック８が垂れ下がるような状態を回避できるという効果がある。
【図面の簡単な説明】
【０００９】
【図１】商品展示具の展開図である。
【図２】商品展示具の組み立て図である。
【図３】商品展示具を連結した状態を表わす斜視図である。
【図４】商品展示具の要部を拡大した断面図である。
【考案を実施するための形態】
【００１０】
実施例に係る商品展示具１について、以下図面を参照して説明する。商品展示具１は、紙製、ボール紙製等の板状の材料により形成されたトレイ１０とフック８とから構成されている。図１はトレイ１０を展開した状態を示している。図において、破線で示したのは折線ｆ１〜１０である。
トレイ１０は、左側面部２、正面部３、右側面部４、背面部５がそれぞれ折線ｆ１〜ｆ３を挟んで左右に連結されている。左側面部２、正面部３、右側面部４、背面部５の図面下側には、一直線状となる折線ｆ５〜ｆ８を介して、互いに組み合わされて底面を形成する舌片７１〜７４がそれぞれ連結されている。また、背面部５には、折線ｆ４を介して耳片５１が連結されている。舌片７４の先には、折線ｆ９を挟んで先端タブ７５をさらに有している。
【００１１】
左側面部２は、図面の上下方向に長さの長い長方形状である。正面部３は、左側面部２と折線ｆ１を介して接する左側には、左側面部２と同じ長さを持つ長方形状の芯片３１を有している。また、芯片３１より右側の部分は上下方向に左側面部２より長さが短い長方形状になっている。芯片３１には、長方形状の開口３２が設けられている。芯片３１の左右方向の幅は、後述する耳片５１の左右幅に等しいかそれよりも小さくなっている。また、折線ｆ１を挟んで芯片３１の反対側の左側面部２には、折線ｆ１と平行に切り込み２２が設けられ、切り込み２２の上下端は折線ｆ１に向かってさらに切り込まれている。このため、折線ｆ１で折った際に、芯片３１の表面に沿って、開口（図２Ｂ、切り込み２２参照）が開くようになっている。
【００１２】
右側面部４は、正面部３に続く上下方向に長さを有する長方形状である。背面部５は、概略において左側面部２と上下方向に長さが同じ長方形状である。背面部５は、その左側であって芯片３１に対応する高さ位置において、折線ｆ１と平行な折線ｆ１０を挟んで折り返し片６に連なっている。
【００１３】
折り返し片６は、芯片３１と上下方向に同じ長さを有し、折線ｆ１の対辺上に差込片６１を有している。差込片６１の下端には切り欠き６２が設けられている。また、折り返し片６には、芯片３１の開口３２と同じ上下方向位置に開口６３が設けられている。一方、折り返し片６を折線ｆ１０で、１８０度、折り返したときに差込片６１を差し込むことが可能なように、背面部５には、切り込み５５が設けられている。尚、切り込み５５の周りには、差込片６１を差し込み易くするための破線状の切り込み５６が設けられている（作図の都合上、折線を表す破線と同じ表記になっている。）。背面部５には、さらに、折り返し片６を折線ｆ１０で、１８０度、折り返したときに、開口６３が重なる位置に開口５２を有している。また、差込片６１は、切り込み２２に対しても差し込むことができる。切り込み２２は、差込片６１の上下方向の長さが同じか長く、切り込み２２の下端の位置は、切り欠き６２の長さ分、上側に位置している。従って、差込片６１を切り込み２２に差し込み、差込片６１を下にずらすことにより、切り欠き６２が切り込み２２の下端が引っかかることになる。
【００１４】
フック８は、商品を掛けるＬ字状の棒部８１と、棒部８１の根元に形成される係止部８２とから構成される。係止部８２は、板状物の開口の周囲を前後から挟んで固定するものであり、前側は長方形の左右の対角辺に円弧部分８４ａ、８４ｂが付加された形状となっており、円弧部分８４ａ、８４ｂが板状物の開口前側に当接する。一方、また、板状物の開口後側には、脚部８５ａ、８５ｂを介して係止片８３ａ、８３ｂが設けられている。係止片８３ａ、８３ｂが板状物の開口後側に当接する。下方の係止片８３ｂは、上方の係止片８３ａより短く形成されている。
【００１５】
図２おいて、左側面部２の左側に位置する一点破線が示した位置２１に耳片５１を接着することにより、左側面部２、正面部３、右側面部４、背面部５が筒状に形成される（図２Ａ）。その状態で、舌片７２を折線ｆ６において直角に折り曲げ、舌片７１及び７３を舌片７２に重ねるように折線ｆ５、f８で折り曲げる。そして、舌片７４を折線ｆ８でさらに重ねるように折り曲げて、舌片７４の下側の先端タブ７５を、舌片７１〜７３のそれぞれ片７１１，７２１、７３１の間に挿入して、底面７０を形成する（図２Ｂ）。
【００１６】
図３において、折られた状態のトレイ１０を複数個、用意する。図においては、トレイ１０ａ、１０ｂ、１０ｃ、１０ｄの４つ示し、それぞれが連結される様子を示した。
トレイ１０ｂの折り返し片６を折線ｆ１０で折返し、トレイ１０ａの切り込み２２に差込片６１を挿入し（矢印イ）、差込片６１を降ろす（矢印ロ）ことにより、切り欠き６２が切り込み２２の下端が引っかかる。この状態が、トレイ１０ｃと１０ｂの関係である。この状態では、トレイ１０ｂの芯片３１を、トレイ１０ｃの背面部５と折り返し片６とで挟み、開口３２、６３，５２が連通下状態になっている。
【００１７】
図４Ａに示すように、この連通した開口３２、６３，５２に対して、フック８の脚部８５ａ、８５ｂを挿入すると、係止片８３ａ及び係止片８３ｂと、係止部８２の円弧部分８４ａ、８４ｂとにより表裏から背面部５と折り返し片６を圧迫し、芯片３１を固定する。フック８を、先ず係止片８３ａが開口３２、６３，５２に入るように、フック８を斜めにし、係止片８３ａをトレイ１０ｃの折り返し片６背面側に入れた後、下方の係止片８３ｂも折り返し片６背面側まで押し込む。下方の係止片８３ｂが短いので、背面部５、折り返し片６、芯片３１に抗して押し込み易くなっている。一方、上方の係止片８３ａが長いので、一旦入った後は外れにくい。
【００１８】
この状態が図３におけるトレイ１０ｄと１０ｃの状態である。フック８は、トレイ１０ｄと１０ｃの連結に用いられるだけで無く、フック８を支える紙片として背面部５、折り返し片６、芯片３１の３枚の紙片が用いられるので、フック８に対して商品Ｃを多数吊り下げても、フック８が垂れ下がるような状態を回避できる。
【００１９】
ポップ広告などで商品の付加価値や提案等をアピールする場合、商品Ｃ（本例の場合、手袋）について、その使用方法（本例の場合、ガーデニングに最適）というアピールを掲載したポップ広告印刷物９を用いる。ポップ広告印刷物９は、幅が右側面部４の上下方向の長さと同じ帯状の紙片であり、これをトレイ１０ｄに巻き付けて、正面部３と右側面部４とを覆い、商品を目立たせることができる。
【００２０】
また、トレイ１０を商品棚に設置する場合、図４Ｂに示すように、折られた状態のトレイ１０の底面７０に対してシート状のマグネット１１を両面テープ等（図示せず）で貼り付けても良い。この場合、折線ｆ９の位置で、舌片７４に対して先端タブ７５を直角に折っておくと、底面７０の面の平面性が保たれ、マグネット１１と底面７０との貼り付けに都合が良い。
【００２１】
尚、切り込み５５は、図３におけるトレイ１０ａのように、他に連結すべきトレイ１０が無い場合に、差込片６１を差し込み、フック８を支えるために用いても良い。
【００２２】
また、図１において、舌片７２及び７４のそれぞれにおいて、折線ｆ６、ｆ８に近接して切欠７２２、７４１を設け、舌片７３，７４で底面７０を形成したときに切欠７４１に互いに重なる位置関係に切欠７３１を設けても良い。図３において、トレイ１０ｂと１０ｃとを連結する際に、この切欠７２２、７４１は互いに隣接する位置に配置される。クリップ１２をこの切欠７２２、７４１を跨がるように挟み込み、トレイ１０ｂの正面部３とトレイ１０ｃの背面部５とを図３中のｑの位置において、互いに留めることができる。また、トレイ１０ｂの正面部３とトレイ１０ｃの背面部５とを図３中のｐの位置（ｑの上側）において、クリップ１２により互いに留めても良い。
【符号の説明】
【００２３】
１  商品展示具
２  左側面部
３  正面部
４  右側面部
５  背面部
６  折り返し片
８  フック
９  ポップ広告印刷物
１０  トレイ
３１  芯片
【図１】
0003194103.tif 000003
【図２】
0003194103.tif 000004
【図３】
0003194103.tif 000005
【図４】
0003194103.tif 000006